(57)【特許請求の範囲】
【請求項１】
タッチパネルを有する表示部と、
複数のパターンを、それぞれ、文字列と対応付けて記憶する記憶部と、
制御部と、
を備え、
前記制御部は、
ユーザーによる前記タッチパネルへの接触点の軌跡を検出する軌跡検出部と、
前記軌跡検出部によって検出された前記接触点の軌跡が前記複数のパターンのいずれか１つに一致するか否かを判定するパターン判定部と、
前記パターン判定部によって一致すると判定された場合に、前記文字列を前記表示部に表示された入力領域に貼り付けて表示する文字列表示部と
を含み、
前記文字列表示部は、前記文字列として、前記複数のパターンのうち、前記接触点の軌跡と一致すると判定されたパターンに対応する文字列を前記記憶部から読み出して前記表示部に表示し、
前記パターン判定部によって一致しないと判定された場合に、ソフトキーを前記表示部に表示するキー表示部を更に備える、表示装置。
【請求項２】
タッチパネルを有する表示部と、
複数のパターンを、それぞれ、文字列と対応付けて記憶する記憶部と、
制御部と、
を備え、
前記制御部は、
ユーザーによる前記タッチパネルへの接触点の軌跡を検出する軌跡検出部と、
前記軌跡検出部によって検出された前記接触点の軌跡が前記複数のパターンのいずれか１つに一致するか否かを判定するパターン判定部と、
前記パターン判定部によって一致すると判定された場合に、前記文字列を前記表示部に表示された入力領域に貼り付けて表示する文字列表示部と
を含み、
前記文字列表示部は、前記文字列として、前記複数のパターンのうち、前記接触点の軌跡と一致すると判定されたパターンに対応する文字列を前記記憶部から読み出して前記表示部に表示し、
前記パターン判定部によって一致しないと判定された場合に、ソフトキーを前記表示部に表示するキー表示部を更に備え、
前記ソフトキーは、テンキーを含む、表示装置。
【請求項３】
タッチパネルを有する表示部と、
複数のパターンを、それぞれ、文字列と対応付けて記憶する記憶部と、
制御部と、
を備え、
前記制御部は、
ユーザーによる前記タッチパネルへの接触点の軌跡を検出する軌跡検出部と、
前記軌跡検出部によって検出された前記接触点の軌跡が前記複数のパターンのいずれか１つに一致するか否かを判定するパターン判定部と、
前記パターン判定部によって一致すると判定された場合に、前記文字列を前記表示部に表示された入力領域に貼り付けて表示する文字列表示部と
を含み、
前記文字列表示部は、前記文字列として、前記複数のパターンのうち、前記接触点の軌跡と一致すると判定されたパターンに対応する文字列を前記記憶部から読み出して前記表示部に表示し、
前記パターン判定部によって一致しないと判定された場合に、ソフトキーを前記表示部に表示するキー表示部を更に備え、
前記キー表示部は、前記パターン判定部によって一致しないと判定された場合に、前記ソフトキーを介して入力された文字列をコピーするときにタッチされるコピーボタンを表示し、
前記コピーボタンがタッチされたか否かを判定するコピー判定部と、
前記コピー判定部によって前記コピーボタンがタッチされたと判定された場合に、前記ソフトキーを介して入力された文字列を前記記憶部に書き込む書込部を備え、
前記書込部は、前記軌跡検出部によって検出された前記接触点の軌跡に対応するパターンを生成し、生成されたパターンと、前記ソフトキーを介して入力された文字列を対応付けて前記記憶部に書き込む、表示装置。
【請求項４】
前記パターン判定部によって一致すると判定された場合に、前記ソフトキーを前記表示部に表示するか、又は、文字列を前記表示部に表示された入力領域に貼り付けるか、をユーザーに選択させる選択入力部を前記表示部に表示する選択表示部と、
前記選択入力部を介して、前記ソフトキーを表示するか、又は、前記文字列を前記表示部に表示された入力領域に貼り付けるか、を判定する選択判定部と、を更に備え、
前記キー表示部は、前記選択判定部によって前記ソフトキーを表示すると判定された場合に、前記ソフトキーを前記表示部に表示し、
前記文字列表示部は、前記選択判定部によって前記文字列を貼り付けると判定された場合に限って、前記文字列を前記表示部に表示された入力領域に貼り付けて表示する、請求項３に記載の表示装置。
【請求項５】
前記選択判定部によって前記ソフトキーを表示すると判定された場合に、前記キー表示部は、前記コピーボタンを表示し、
前記コピー判定部は、前記コピーボタンがタッチされたか否かを判定し、
前記書込部は、前記コピー判定部によって前記コピーボタンがタッチされたと判定された場合に、前記ソフトキーを介して入力された文字列を、前記パターン判定部によって一致すると判定されたパターンに対応付けて前記記憶部に書き込む、請求項４に記載の表示装置。
【請求項６】
前記軌跡検出部によって検出された前記接触点の軌跡を前記表示部に表示する軌跡表示部を更に備える、請求項１から請求項５のいずれか１項に記載の表示装置。
【請求項７】
前記パターン判定部によって前記接触点の軌跡が前記複数のパターンのいずれか１つに一致すると判定された場合に、一致すると判定されたパターンを前記表示部に表示するパターン表示部を更に備える、請求項１から請求項６のいずれか１項に記載の表示装置。
【請求項８】
前記パターンは、図形、記号、アルファベット、片仮名、及び、平仮名の少なくともいずれか１つを含む、請求項１から請求項７のいずれか１項に記載の表示装置。
【請求項９】
請求項１から請求項８のいずれか１項に記載の表示装置と、
記録媒体の表面に画像を形成する画像形成部と
を備える、画像形成装置。
【請求項１０】
表示部及び記憶部を備える表示装置が実行する表示方法であって、
前記記憶部は、複数のパターンを、それぞれ、文字列と対応付けて記憶しており、
前記表示部へのユーザーによる接触点の軌跡を検出する手順と、
前記接触点の軌跡が前記複数のパターンのいずれか１つに一致するか否かを判定する手順と、
前記接触点の軌跡が前記複数のパターンのいずれか１つに一致すると判定された場合に、前記複数のパターンのうち、前記接触点の軌跡と一致すると判定されたパターンに対応する文字列を前記記憶部から読み出して、前記表示部に表示された入力領域に貼り付けて表示する手順と、
前記パターン判定部によって一致しないと判定された場合に、ソフトキーを前記表示部に表示する手順と
を含む、表示方法。
【発明の詳細な説明】
【技術分野】
【０００１】
本発明は、タッチパネルを備える表示装置、画像形成装置、及び、表示方法に関する。
【背景技術】
【０００２】
近年、テキスト又は画像をコピーアンドペーストする装置が提案されている。例えば、押圧パターンに基づいて、コピー済みデータを表示部に表示する入力装置が開示されている（特許文献１参照）。具体的には、押圧荷重に基づいて押圧パターンを検出し、複数のコピー済みデータをペーストするにあたって、前記検出した押圧パターンに対応するコピー済みデータを表示部に表示する。
【０００３】
特許文献１に記載の入力装置によれば、制御部が押圧パターンに基づいて複数のコピー済みデータのうちの一つを表示部に表示するため、容易に複数のテキストや画像等をコピーアンドペーストすることが可能となると記載されている。
【先行技術文献】
【特許文献】
【０００４】
【特許文献１】特開２０１２−３２８９０号公報
【発明の概要】
【発明が解決しようとする課題】
【０００５】
しかしながら、特許文献１に記載の入力装置では、タッチパネルに対する押圧荷重を検出する荷重検出部を備える必要があるため、構造が複雑になり、製造コストが高くなる恐れがある。
【０００６】
本発明は、上記課題に鑑みてなされたものであり、簡素な構成で、且つ、簡単な操作でコピーアンドペーストすることが可能な表示装置、画像形成装置、及び表示方法を提供することを目的としている。
【課題を解決するための手段】
【０００７】
本発明の第１形態に係る表示装置は、表示部、記憶部、及び、制御部を備える。前記表示部は、タッチパネルを有する。前記記憶部は、複数のパターンを、それぞれ、文字列と対応付けて記憶する。前記制御部は、軌跡検出部、パターン判定部、及び、文字列表示部を備える。前記軌跡検出部は、ユーザーによる前記タッチパネルへの接触点の軌跡を検出する。前記パターン判定部は、前記軌跡検出部によって検出された前記接触点の軌跡が前記複数のパターンのいずれか１つに一致するか否かを判定する。前記文字列表示部は、前記パターン判定部によって一致すると判定された場合に、文字列を前記表示部に表示された入力領域に貼り付けて表示する。また、前記文字列表示部は、前記文字列として、前記複数のパターンのうち、前記接触点の軌跡と一致すると判定されたパターンに対応する文字列を前記記憶部から読み出して前記表示部に表示する。
【０００８】
本発明の第２形態に係る画像形成装置は、前記第１形態に係る表示装置、及び、画像形成部を備える。前記画像形成部は、記録媒体の表面に画像を形成する。
【０００９】
本発明の第３形態に係る表示方法は、表示部及び記憶部を備える表示装置が実行する表示方法である。前記記憶部は、複数のパターンを、それぞれ、文字列と対応付けて記憶している。また、前記表示方法は、検出する手順、判定する手順、及び、表示する手順を含む。前記検出する手順は、前記表示部へのユーザーによる接触点の軌跡を検出する。前記判定する手順は、前記接触点の軌跡が前記複数のパターンのいずれか１つに一致するか否かを判定する。前記表示する手順は、前記接触点の軌跡が前記複数のパターンのいずれか１つに一致すると判定された場合に、前記複数のパターンのうち、前記接触点の軌跡と一致すると判定されたパターンに対応する文字列を前記記憶部から読み出して、前記表示部に表示された入力領域に貼り付けて表示する。
【発明の効果】
【００１０】
本発明によれば、簡素な構成で、且つ、簡単な操作で文字列をコピーアンドペーストすることができる。
【図面の簡単な説明】
【００１１】
【図１】本実施形態に係る画像形成装置を示す図である。
【図２】図１に示す表示装置のブロック図である。
【図３】図２に示す制御部の動作を示すフローチャートである。
【図４】図２に示す表示部に表示される軌跡入力画面の一例を示す画面図である。
【図５】図２に示す表示部に表示されるキー表示画面の一例を示す画面図である。
【図６】図２に示す表示部に表示されるキー表示画面の他の一例を示す画面図である。
【図７】図２に示す表示部に表示されるログイン画面の一例を示す画面図である。
【図８】図２に示す表示部に表示される選択判定画面の一例を示す画面図である。
【図９】図２に示す表示部に表示されるログイン画面の他の一例を示す画面図である。
【発明を実施するための形態】
【００１２】
以下、本発明の実施形態について、図面（図１〜図９）を参照しながら説明する。なお、図中、同一又は相当部分については同一の参照符号を付して説明を繰り返さない。
【００１３】
まず、図１を参照して、本実施形態に係る画像形成装置２について説明する。図１は、本実施形態に係る画像形成装置２を示す図である。画像形成装置２は、例えば、スキャナー、複写機、プリンター、ファクシミリ、又は、複合機である。上記複合機は、例えば、スキャン機能、複写機能、印刷機能、及び、ファクシミリ送受信機能のうち少なくとも２つの機能を備える。
【００１４】
画像形成装置２は、制御部１０、表示部２０、タッチパネル３０、記憶部４０、原稿搬送部１００、画像読取部１１０、収納部１２０、搬送部１３０、画像形成部１４０、定着部１５０、及び、排出部１６０を備える。記録用紙Ｐは、記録用紙の搬送方向に沿って画像形成装置２の内部を搬送される。なお、制御部１０、表示部２０、タッチパネル３０、及び、記憶部４０は、本発明に係る表示装置１を構成する。
【００１５】
制御部１０は、画像形成装置２全体の動作を制御する。具体的には、制御部１０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＰＵ（Ｃｅｎｔｒａｌ  Ｐｒｏｃｅｓｓｉｎｇ  Ｕｎｉｔ）、及び、書き換え可能な不揮発性メモリーを備える。上記ＲＯＭには、制御プログラムが格納されている。そして、上記ＣＰＵは、上記ＲＯＭに格納された制御プログラムを読み出して実行することによって各種機能部として機能する。上記ＲＡＭは、上記ＣＰＵが、上記制御プログラムを実行する際の作業領域として用いられる。上記不揮発性メモリーは、例えば、フラッシュメモリー、又は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のようなメモリーであって、例えば、表示部２０に表示する画面情報を記憶する。
【００１６】
表示部２０は、例えば、ＬＣＤ（Ｌｉｑｕｉｄ  Ｃｒｙｓｔａｌ  Ｄｉｓｐｌａｙ）を備え、文字、図形、操作ボタンのような画像を表示する。タッチパネル３０は、ユーザーによる接触位置を検出する。記憶部４０は、ＨＤＤ（Ｈａｒｄ  Ｄｉｓｋ  Ｄｒｉｖｅ）を備え、パターン、文字列のような種々の情報を記憶する。パターンの詳細については後述する。本実施形態では、便宜上、タッチパネル３０を表示部２０とは別の構成として記載しているが、タッチパネル３０は表示部２０と一体に形成されている。換言すれば、表示部２０がタッチパネル３０を備える。
【００１７】
記憶部４０は、例えば、ＨＤＤ（Ｈａｒｄ  Ｄｉｓｋ  Ｄｒｉｖｅ）を含み、種々の情報を記憶する。本実施形態では、記憶部４０は、複数のパターンを、それぞれ、文字列と対応付けて記憶する。
【００１８】
原稿搬送部１００は、画像読取部１１０に向けて原稿を搬送する。画像読取部１１０は、原稿に形成された画像を読み取って画像データを生成する。収納部１２０は記録用紙Ｐを収納する。収納部１２０は、カセット１２１及び手差しトレイ１２３を含む。カセット１２１は記録用紙Ｐを積層して収納する。記録用紙Ｐは、カセット１２１又は手差しトレイ１２３から搬送部１３０に送り出される。記録用紙Ｐは、例えば、普通紙、コピー紙、再生紙、薄紙、厚紙、光沢紙、又は、ＯＨＰ（Ｏｖｅｒｈｅａｄ  Ｐｒｏｊｅｃｔｏｒ）シートである。なお、記録用紙Ｐは、「記録媒体」に相当する。
【００１９】
搬送部１３０は、画像形成部１４０に記録用紙Ｐを搬送する。画像形成部１４０は、図１に示すように、感光体ドラム１４１、帯電部１４２、露光部１４３、現像部１４４、転写部１４５、クリーニング部１４６、及び、除電部１４７を含む。画像形成部１４０は、次のようして記録用紙Ｐ上に画像を形成する。
【００２０】
帯電部１４２は感光体ドラム１４１の表面を帯電させる。露光部１４３は、画像読取部１１０によって生成された画像データ、又は、記憶部４０に記憶された画像データに対応する光を感光体ドラム１４１の表面に照射する。その結果、感光体ドラム１４１の表面には画像データに対応した静電潜像が形成される。
【００２１】
現像部１４４は、感光体ドラム１４１の表面に形成された静電潜像を現像し、感光体ドラム１４１の表面にトナー像を形成する。転写部１４５は、感光体ドラム１４１に形成されたトナー像を記録用紙Ｐに転写する。クリーニング部１４６は、感光体ドラム１４１の表面に残留しているトナーを除去する。除電部１４７は、感光体ドラム１４１の表面の残留電荷を除去する。
【００２２】
トナー像が転写された記録用紙Ｐは定着部１５０に向けて搬送される。定着部１５０は、記録用紙Ｐを加熱及び加圧して、記録用紙Ｐにトナー像を定着させる。画像が定着された記録用紙Ｐは排出部１６０に向けて搬送される。排出部１６０は記録用紙Ｐを排出する。
【００２３】
次に、図２を参照して、表示装置１について説明する。図２は、図１に示す表示装置１のブロック図である。図２に示すように、表示装置１は、制御部１０、表示部２０、タッチパネル３０、及び、記憶部４０を備える。また、制御部１０は、軌跡検出部１０１、パターン判定部１０２、キー表示部１０３、コピー判定部１０４、書込部１０５、選択表示部１０６、選択判定部１０７、及び、文字列表示部１０８のような機能部を備える。制御部１０の上記ＣＰＵは、上記ＲＯＭに格納された制御プログラムを読み出して実行することによって上記の機能部として機能する。
【００２４】
記憶部４０は、複数のパターンＰＴを、それぞれ、文字列と対応付けて記憶する。パターンとは、円、三角形、及び、多角形のような図形を含む。本実施形態では、パターンＰＴが図形である場合について説明するが、パターンＰＴが、プラス、マイナス、等号、不等号、及び、スラッシュを含む記号である形態でもよいし、アルファベット、片仮名、及び、平仮名を含む文字である形態でもよい。パターンＰＴの種類が多い程、ユーザーは多数の文字列を、パターンＰＴと対応付けて記憶することができるため、ユーザーの利便性を向上することができる。
【００２５】
軌跡検出部１０１は、ユーザーによるタッチパネル３０への接触点ＴＰ（図３、図６参照）の軌跡を検出する。接触点ＴＰとは、例えば、ユーザーの人差し指がタッチパネル３０に接触している位置に対応する点である。また、接触点ＴＰの軌跡とは、接触点ＴＰの移動に伴って形成される線である。軌跡検出部１０１は、例えば、ユーザーの人差し指によって描かれる図形の軌跡を検出する。
【００２６】
パターン判定部１０２は、軌跡検出部１０１によって検出された接触点ＴＰの軌跡が、記憶部４０に記憶された複数のパターンＰＴのいずれか１つに一致するか否かを判定する。具体的には、パターン判定部１０２は、軌跡検出部１０１によって検出された接触点ＴＰの軌跡が、予め登録された図形のいずれか１つと一致するか否かを、公知の「パターンマッチング」の技術を用いて判定する。
【００２７】
また、パターン判定部１０２は、接触点ＴＰの軌跡が記憶部４０に記憶された複数のパターンＰＴのいずれか１つに一致すると判定された場合には、一致すると判定されたパターンＰＴに対応する文字列を記憶部４０から読み出す。
【００２８】
更に、接触点ＴＰの軌跡が記憶部４０に記憶された複数のパターンＰＴのいずれにも一致しないと判定された場合には、パターン判定部１０２は、軌跡検出部１０１によって検出された接触点ＴＰの軌跡が、予め登録されたパターンＰＴのうち、どのパターンＰＴに最も近いかを判定する。
【００２９】
キー表示部１０３は、パターン判定部１０２によって一致しないと判定された場合に、ソフトキーＳＫを表示部２０に表示する。また、キー表示部１０３は、選択判定部１０７によってソフトキーＳＫを表示すると判定された場合に、ソフトキーＳＫを表示部２０に表示する。本実施形態では、ソフトキーＳＫが、テンキー（図５、図６参照）である場合について説明する。また、キー表示部１０３は、テンキーの上部に、入力された数字を表示する数字表示部、及び、上記数字表示部に表示された数字をコピーする場合にタッチされるコピーボタンＣＢを表示部２０に表示する。
【００３０】
このように、パターン判定部１０２によって一致しないと判定された場合に、ソフトキーＳＫが表示部２０に表示されるため、ソフトキーＳＫを介して所望する文字列を入力することができる。したがって、ユーザーの利便性を向上することができる。
【００３１】
また、入力された数字を表示する数字表示部、及び、コピーボタンＣＢが表示部２０に表示されるため、コピーボタンＣＢをタッチすることによって、上記数字表示部に表示された数字をコピーすることができる。したがって、更に簡単に文字列をコピーすることができる。
【００３２】
本実施形態では、ソフトキーＳＫが、テンキー（図５、図６参照）であるため、数字を文字列として、パターンと対応付けて記憶部４０に記憶することができる。したがって、複数の数字からなるログインＩＤ、又は、コピー部数をパターンと対応付けて記憶部４０に記憶しておくことによって、容易に上記ログインＩＤを入力することができると共に、上記コピー部数を設定することができる。
【００３３】
本実施形態では、ソフトキーＳＫが、テンキーである場合について説明するが、ソフトキーＳＫが、アルファベットを入力可能な形態でもよいし、仮名及び漢字入力が可能な形態でもよい。ソフトキーＳＫが、アルファベットを入力可能な形態、又は、仮名及び漢字入力が可能な形態である場合には、多様な文字列を、パターンと対応付けて記憶部４０に記憶しておくことができるため、ユーザーの利便性を更に向上することができる。
【００３４】
コピー判定部１０４は、タッチパネル３０を介して、キー表示部１０３によって表示されたコピーボタンＣＢがタッチされたか否かを判定する。
【００３５】
書込部１０５は、コピー判定部１０４によってコピーボタンＣＢがタッチされたと判定された場合に、ソフトキーＳＫを介して入力された文字列を、パターン判定部１０２によって一致すると判定されたパターン（又は、最も近いと判定されたパターン）に対応付けて記憶部４０に書き込む。また、書込部１０５は、コピー判定部１０４によってコピーボタンＣＢがタッチされたと判定された場合に、ソフトキーＳＫを介して入力された文字列を、予め登録されたパターンのうち、パターン判定部１０２によって最も近いと判定されたパターンに対応付けて記憶部４０に書き込む。なお、ソフトキーＳＫを介して入力された文字列は、上記数字表示部に表示された数字である。
【００３６】
このようにして、コピーボタンＣＢがタッチされたと判定された場合に、ソフトキーＳＫを介して入力された文字列が、パターン判定部１０２によって一致すると判定されたパターン（又は、最も近いと判定されたパターン）に対応付けて記憶部４０に書き込まれるため、ユーザーの利便性を更に向上することができる。
【００３７】
換言すれば、既に記憶部４０に記憶されているパターンに対応する文字列を、別の文字列に変更することができる。また、予め登録されたパターンのうち、記憶部４０に記憶されていないパターンを、文字列と対応付けて記憶部４０に記憶することができる。したがって、所望する文字列を、所望するパターンに対応付けて記憶部４０に書き込むことができるため、ユーザーのコピー操作を簡略化することができる。
【００３８】
選択表示部１０６は、パターン判定部１０２によって一致すると判定された場合に、選択入力部ＳＥを表示部２０に表示する。選択入力部ＳＥは、ソフトキーＳＫを表示部２０に表示するか、又は、文字列を表示部２０に表示された入力領域に貼り付けるか、をユーザーに選択させる入力部である。なお、選択入力部ＳＥの具体例については、図７を参照して後述する。
【００３９】
このようにして、ユーザーは、選択入力部ＳＥを介して、ソフトキーＳＫを表示部２０に表示するか、又は、文字列を表示部２０に表示された入力領域に貼り付けるか、を選択することができる。したがって、ユーザーの利便性を更に向上することができる。
【００４０】
選択判定部１０７は、選択入力部ＳＥを介して、ソフトキーＳＫを表示するか、又は、上記文字列を表示部２０に表示された入力領域に貼り付けるか、を判定する。
【００４１】
文字列表示部１０８は、選択判定部１０７によって上記文字列を貼り付けると判定された場合に限って、上記文字列を表示部２０に表示された入力領域に貼り付けて表示する。
【００４２】
次に、図３を参照して、制御部１０の動作を説明する。まず、軌跡検出部１０１によって、ユーザーによるタッチパネル３０への接触点ＴＰの軌跡が検出されたか否かの判定が行われる（ステップＳ１０１）。接触点ＴＰの軌跡が検出されていないと判定された場合（ステップＳ１０１でＮＯ）には、処理が待機状態とされる。接触点ＴＰの軌跡が検出されたと判定された場合（ステップＳ１０１でＹＥＳ）には、処理がステップＳ１０３へ進められる。
【００４３】
そして、パターン判定部１０２によって、記憶部４０に記憶された複数のパターンＰＴの中で、軌跡検出部１０１によって検出された接触点ＴＰの軌跡の示すパターンＰＴと一致するパターンＰＴがあるか否かの判定が行われる（ステップＳ１０３）。一致するパターンＰＴがあると判定された場合（ステップＳ１０３でＹＥＳ）には、処理がステップＳ１０５へ進められる。一致するパターンＰＴがないと判定された場合（ステップＳ１０３でＮＯ）には、パターン判定部１０２によって、ステップＳ１０１において検出された接触点ＴＰの軌跡が、予め登録されたパターンＰＴのうち、どのパターンＰＴに最も近いかの判定が行われ、処理がステップＳ１１５へ進められる。
【００４４】
次いで、パターン判定部１０２によって、ステップＳ１０３において一致すると判定されたパターンＰＴに対応する文字列が記憶部４０から読み出される（ステップＳ１０５）。そして、選択表示部１０６によって、選択入力部ＳＥが表示部２０に表示される（ステップＳ１０７）。なお、選択入力部ＳＥは、ソフトキーＳＫを表示部２０に表示するか、又は、文字列を表示部２０に表示された入力領域に貼り付けるか、の選択入力をユーザーから受け付ける。
【００４５】
次に、選択判定部１０７によって、選択入力部ＳＥを介して、上記文字列を表示部２０に表示された入力領域に貼り付けるとの選択入力（以下、貼付選択入力という。）が受け付けられたか否かの判定が行われる（ステップＳ１０９）。
【００４６】
上記貼付選択入力が受け付けられたと判定された場合（ステップＳ１０９でＹＥＳ）には、処理がステップＳ１１１に進められる。上記貼付選択入力が受け付けられていないと判定された場合（ステップＳ１０９でＮＯ）には、処理がステップＳ１１３に進められる。そして、文字列表示部１０８によって、上記文字列が表示部２０に表示された入力領域（図８では入力領域５４１）に貼り付けて表示され（ステップＳ１１１）、処理がステップＳ１０１へリターンされる。
【００４７】
ステップＳ１０９でＮＯの場合には、選択判定部１０７によって、ソフトキーＳＫを表示するとの選択入力が受け付けられたか否かの判定が行われる（ステップＳ１１３）。
【００４８】
ソフトキーＳＫを表示するとの選択入力が受け付けられたと判定された場合（ステップＳ１１３でＹＥＳ）には、処理がステップＳ１１５に進められる。ソフトキーＳＫを表示するとの選択入力が受け付けられていないと判定された場合（ステップＳ１１３でＮＯ）には、処理がステップＳ１０９に戻され、ステップＳ１０９以降の処理が繰り返し実行される。
【００４９】
ステップＳ１０３でＮＯの場合、又は、ステップＳ１１３でＹＥＳの場合には、キー表示部１０３によって、ソフトキーＳＫが表示部２０に表示される（ステップＳ１１５）。
【００５０】
次に、コピー判定部１０４によって、コピーボタンＣＢがタッチされたか否かが判定される（ステップＳ１１７）。コピーボタンＣＢがタッチされていないと判定された場合（ステップＳ１１７でＮＯ）には、処理が待機状態とされる。コピーボタンＣＢがタッチされたと判定された場合（ステップＳ１１７でＹＥＳ）には、処理がステップＳ１１９へ進められる。
【００５１】
そして、書込部１０５によって、ステップＳ１１５で表示されたソフトキーＳＫを介して入力された文字列が、記憶部４０に書き込まれ（ステップＳ１１９）、処理がステップＳ１０１へリターンされる。ただし、ステップＳ１１５で表示されたソフトキーＳＫを介して入力された文字列は、ステップＳ１０１で接触点ＴＰの軌跡の示すパターンＰＴと一致すると判定されたパターンＰＴ（又は、予め登録されたパターンＰＴのうち接触点ＴＰの軌跡に最も近いと判定されたパターンＰＴ）に対応付けて、記憶部４０に書き込まれる。
【００５２】
上述のように、記憶部４０に記憶された複数のパターンのうち、接触点ＴＰの軌跡と一致すると判定されたパターンに対応する文字列が記憶部４０から読み出しされ、表示部２０の上記入力領域に表示される。したがって、予め、パターンに対応する文字列を記憶部４０に記録しておくことによって、簡素な構成で、且つ、簡単な操作で文字列をコピーアンドペーストすることができる。
【００５３】
換言すれば、ユーザーは、記憶部４０に記憶されたパターンの軌跡を、タッチパネル３０上に描くことによって、上記パターンに対応する文字列を読み出して、表示部２０に表示された入力領域に貼り付けて表示することができる。
【００５４】
なお、ステップＳ１０１は、「検出する手順」に相当する。ステップＳ１０３は、「判定する手順」に相当する。ステップＳ１１１は、「表示する手順」に相当する。
【００５５】
次に、図４〜図９を参照して、図２に示す機能部（軌跡検出部１０１、パターン判定部１０２、キー表示部１０３、コピー判定部１０４、書込部１０５、選択表示部１０６、選択判定部１０７、及び、文字列表示部１０８）の機能を、図３に示すフローチャートと対応付けて、具体的に説明する。
【００５６】
図４は、図２に示す表示部２０に表示される軌跡入力画面５００の一例を示す画面図である。軌跡入力画面５００は、図３のステップＳ１０１で表示部２０に表示される画面であって、ボタンオブジェクト５０１〜５０８が表示されている。また、黒丸印（接触点）ＴＰは、軌跡ＦＧ１に沿って動かされる手Ｈの人差し指の先端の位置を示している。軌跡入力画面５００に示すように、ユーザーは、手Ｈの人差し指の先端でタッチパネル３０上に軌跡ＦＧ１を描く。軌跡ＦＧ１は、軌跡検出部１０１によって検出される。本実施形態では、軌跡ＦＧ１は、三角形である。なお、黒丸印ＴＰ、軌跡ＦＧ１、及び、手Ｈは、表示部２０には表示されない。
【００５７】
本実施形態では、軌跡ＦＧ１を表示部２０に表示しない場合について説明するが、軌跡ＦＧ１を表示部２０に表示する形態でもよい。この場合には、ユーザーは、軌跡ＦＧ１の示すパターンを視認し易いため、ユーザーの利便性を向上することができる。
【００５８】
図５は、図２に示す表示部２０に表示されるキー表示画面５１０の一例を示す画面図である。キー表示画面５１０は、図３のステップＳ１１５で表示部２０に表示される画面であって、ボタンオブジェクト５１１〜５１３、５１５〜５１７が表示されている。また、画面右側には、キー表示部１０３によって、数字表示部５１９ａ、テンキー５１９ｂ、及び、コピーボタン５１９ｃが表示されている。テンキー５１９ｂは、ソフトキーＳＫの一例である。数字表示部５１９ａは、テンキー５１９ｂを介して入力された数字を表示する。コピーボタン５１９ｃは、数字表示部５１９ａに表示された数字をコピーする場合に、ユーザーによってタッチされるボタンである。
【００５９】
図６は、図２に示す表示部２０に表示されるキー表示画面５２０の他の一例を示す画面図である。キー表示画面５２０は、図３のステップＳ１１５で表示部２０に表示される画面であって、ボタンオブジェクト５１１〜５１３、５１５〜５１７が表示されている。また、キー表示画面５２０の右側には、キー表示部１０３によって、数字表示部５２９ａ、テンキー５２９ｂ、及び、コピーボタン５２９ｃが表示されている。
【００６０】
テンキー５２９ｂは、ソフトキーＳＫの一例である。数字表示部５２９ａは、テンキー５２９ｂを介して入力された数字を表示する。また、テンキー５２９ｂを介して、ユーザーによって、「１２３４５」が入力され、数字表示部５２９ａには、「１２３４５」の数字が表示されている。コピーボタン５２９ｃは、数字表示部５２９ａに表示された数字をコピーする場合に、ユーザーによってタッチされるボタンである。図３に示すステップＳ１１７において、コピー判定部１０４によって、コピーボタン５２９ｃがユーザーによってタッチされたと判定されると、数字表示部５２９ａに表示された「１２３４５」の文字列が、コピーされる。
【００６１】
換言すれば、図３のステップＳ１１９において、書込部１０５によって、「１２３４５」の文字列が、図４に示す軌跡ＦＧ１に対応する三角形のパターンと対応付けて、記憶部４０に書き込まれる。
【００６２】
図７は、図２に示す表示部２０に表示されるログイン画面５３０の一例を示す画面図である。ログイン画面５３０は、図３のステップＳ１０１において表示される画面であって、ユーザーＩＤを入力する入力領域５３１が表示されている。また、黒丸印ＴＰは、軌跡ＦＧ１に沿って動かされる手Ｈの人差し指の先端の位置を示している。ログイン画面５３０に示すように、ユーザーは、手Ｈの人差し指の先端でタッチパネル３０上に軌跡ＦＧ２を描く。軌跡ＦＧ２は、軌跡検出部１０１によって検出される。本実施形態では、軌跡ＦＧ２は、三角形である。なお、黒丸印ＴＰ、軌跡ＦＧ２、及び、手Ｈは、表示部２０には表示されない。
【００６３】
図８は、図２に示す表示部２０に表示される選択判定画面５４０の一例を示す画面図である。選択判定画面５４０は、図３のステップＳ１０７において表示される画面であって、ユーザーＩＤを入力する入力領域５４１が表示されている。また、選択表示部１０６によって、選択入力部ＳＥ（５４２、５４３）が表示されている。選択入力部ＳＥは、ペーストボタン５４２及びテンキーボタン５４３を備えている。ペーストボタン５４２は、文字列を表示部２０に表示された入力領域に貼り付ける場合にタッチされるボタンである。テンキーボタン５４３は、ソフトキーＳＫを表示部２０に表示する場合にタッチされるボタンである。
【００６４】
ペーストボタン５４２がタッチされた場合には、図９に示すログイン画面５５０が表示部２０に表示される。テンキーボタン５４３がタッチされた場合には、図３のステップＳ１１５において、キー表示部１０３によって、選択判定画面５４０に図５に示す数字表示部５１９ａ、テンキー５１９ｂ、及び、コピーボタン５１９ｃが表示される。なお、手Ｈは、表示部２０には表示されない。
【００６５】
図９は、図２に示す表示部２０に表示されるログイン画面５５０の他の一例を示す画面図である。ログイン画面５５０は、図８に示す選択判定画面５４０において、ペーストボタン５４２がタッチされた場合に表示される画面である。ログイン画面５５０には、ユーザーＩＤを入力する入力領域５５１が表示されている。また、入力領域５５１には、ペーストボタン５４２がタッチされた結果、文字列表示部１０８によって、図６に示す数字表示部５２９ａに表示された「１２３４５」の文字列が貼り付けられて表示される。
【００６６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６７】
（１）本実施形態では、表示装置１が画像形成装置２に配置される場合について説明したが、表示装置１がタッチパネルを備えた電子機器に配置される形態であればよい。例えば、表示装置１が、スマートフォン、タブレット型コンピューター、ＣＤプレイヤー、ＤＶＤプレイヤー、及び、各種家電機器のような電子機器に配置される形態でもよい。
【００６８】
（２）本実施形態では、パターン判定部１０２が、接触点ＴＰの軌跡が、記憶部４０に記憶された複数のパターンＰＴのいずれか１つに一致するか否かを判定する場合について説明した。パターン判定部１０２が、更に、接触点ＴＰの軌跡と一致すると判定されたパターンＰＴを表示部２０に表示する形態でもよい。この場合には、ユーザーが入力を所望したパターンＰＴと、パターン判定部１０２によって判定されたパターンＰＴとが一致するか否かを容易に視認することができる。
【００６９】
（４）本実施形態では、図５、図６に示すように、ソフトキーＳＫが画面の右端に表示される場合について説明したが、ソフトキーＳＫを表示する位置及び大きさをユーザーが設定できる形態でもよい。この場合には、ユーザーの利便性を更に向上することができる。
【００７０】
（５）本実施形態では、ソフトキーＳＫがテンキーである場合について説明したが、表示するソフトキーＳＫの種類（例えば、テンキー、記号入力キー、アルファベット入力キー、平仮名入力キー、及び、片仮名入力キー）をユーザーが設定できる形態でもよい。この場合には、ユーザーの利便性を更に向上することができる。
【産業上の利用可能性】
【００７１】
本発明は、タッチパネルを備える表示装置、及び、表示装置を搭載する画像形成装置の分野に利用可能である。
【符号の説明】
【００７２】
１      表示装置
１０    制御部
１０１  軌跡検出部
１０２  パターン判定部
１０３  キー表示部
１０４  コピー判定部
１０５  書込部
１０６  選択表示部
１０７  選択判定部
１０８  文字列表示部
１４０  画像形成部
２０    表示部
３０    タッチパネル
４０    記憶部
【図１】
0006043334.tif 000002
【図２】
0006043334.tif 000003
【図３】
0006043334.tif 000004
【図４】
0006043334.tif 000005
【図５】
0006043334.tif 000006
【図６】
0006043334.tif 000007
【図７】
0006043334.tif 000008
【図８】
0006043334.tif 000009
【図９】
0006043334.tif 000010